(57)【要約】【課題】本発明は、コネクタ−ケーブル保持及び受動相互変調歪み（ＰＩＭ）電気的性能を向上させるためのコネクタ安定化結合体アセンブリを提供する。【解決手段】同軸コネクタのための安定化結合体アセンブリには、そのコネクタ端でコネクタのケーブル端と結合するように寸法付けられる結合体が設けられる。硬質材料のジャケットグリップが結合体と結合体のケーブル端に結合される安定化本体との間に保持される。ジャケットグリップの外径が安定化本体の環状楔面に当接する。楔面には、ジャケットグリップのコネクタ端に隣接する最大直径と環状楔面のケーブル端に隣接する最小直径との間にテーパが設けられる。安定化本体が結合体へ向けて軸方向に押し進められると、ジャケットグリップが径方向内側に推し進められる。製造方法は、結合体アセンブリの要素を射出成形によって形成することを含む。【選択図】図３
2011258552.tif 000002
【特許請求の範囲】
【請求項１】
同軸コネクタのための安定化結合体アセンブリであって、
そのコネクタ端でコネクタのケーブル端と結合するように寸法付けられる結合体と、
結合体と結合体のケーブル端に結合される安定化本体との間に保持される硬質材料のジャケットグリップと、
を備え、
ジャケットグリップの外径が安定化本体の環状楔面に当接し、
楔面には、ジャケットグリップのコネクタ端に隣接する最大直径と環状楔面のケーブル端に隣接する最小直径との間にテーパが設けられ、それにより、安定化本体が結合体へ向けて軸方向に押し進められると、ジャケットグリップが径方向内側に推し進められる、安定化結合体アセンブリ。
【請求項２】
ジャケットグリップの内径には複数の内側に突出する突起が設けられる請求項１に記載のアセンブリ。
【請求項３】
ジャケットグリップには、楔面と係合する傾斜接触面が外径に設けられる請求項１に記載のアセンブリ。
【請求項４】
ジャケットグリップがＣ字形である請求項１に記載のアセンブリ。
【請求項５】
結合体に保持リップを更に含むとともに、安定化本体に保持バリを更に含み、
保持リップは、安定化本体が結合体と結合されるときに保持バリと係合するように寸法付けられ、安定化本体を結合体に対して保持する請求項１に記載のアセンブリ。
【請求項６】
ジャケットグリップの幅は、少なくとも所望の同軸ケーブルの波形周期と同じ幅である請求項１に記載のアセンブリ。
【請求項７】
ジャケットグリップの幅は、少なくともジャケットグリップの断面高さの２倍と同じ幅である請求項１に記載のアセンブリ。
【請求項８】
ジャケットグリップに隣接する結合ナット内に位置されるシールガスケットを更に含む請求項１に記載のアセンブリ。
【請求項９】
安定化本体がネジを介して結合体に結合される請求項１に記載のアセンブリ。
【請求項１０】
安定化本体には、安定化本体のケーブル端に隣接して複数の内側に突出する支持フィンが設けられる請求項１に記載のアセンブリ。
【請求項１１】
同軸コネクタのための安定化結合体アセンブリを製造する方法であって、
そのコネクタ端でコネクタのケーブル端と結合するように寸法付けられる結合体を形成することと、
硬質材料のジャケットグリップを形成することと、
結合体のケーブル端に結合するように寸法付けられる安定化本体を形成することと、
結合体と安定化本体との間にジャケットグリップを挿入して、結合体を安定化本体に結合することと、
を含み、
ジャケットグリップの外径が安定化本体の環状楔面に当接し、
楔面には、ジャケットグリップのコネクタ端に隣接する最大直径と環状楔面のケーブル端に隣接する最小直径との間にテーパが設けられ、それにより、安定化本体が結合体へ向けて軸方向に押し進められると、ジャケットグリップが径方向内側に推し進められる、方法。
【請求項１２】
ジャケットグリップが射出成形によって形成される請求項１１に記載の方法。
【請求項１３】
安定化本体が射出成形によって形成される請求項１１に記載の方法。
【請求項１４】
硬質材料がアクリルである請求項１１に記載の方法。
【請求項１５】
結合体に保持リップを更に含むとともに、安定化本体に保持バリを更に含み、
保持リップは、安定化本体が結合体と結合されるときに保持バリと係合して、安定化本体を結合体に対して保持する請求項１１に記載の方法。
【請求項１６】
保持リップ及び保持バリが円弧状セグメント突起として形成される請求項１５に記載の方法。
【請求項１７】
結合体と安定化本体との間の結合がネジを介し、ネジが円弧状セグメントとして形成される請求項１１に記載の方法。
【請求項１８】
同軸コネクタのための安定化結合体アセンブリであって、
そのコネクタ端でコネクタのケーブル端と結合するように寸法付けられる結合体と、
結合体と結合体のケーブル端にネジを介して結合される安定化本体との間に保持される非圧縮性材料のＣ字形ジャケットグリップであって、ジャケットグリップの内径に複数の内側に突出する突起を備えるＣ字形ジャケットグリップと、
安定化本体の環状楔面に当接するジャケットグリップの外径と、
結合体に保持リップ及び安定化本体に保持バリと、
を備え、
保持リップは、安定化本体が結合体と結合されるときに保持バリと係合するように寸法付けられ、安定化本体を結合体に対して保持し、
楔面には、ジャケットグリップのコネクタ端に隣接する最大直径と環状楔面のケーブル端に隣接する最小直径との間にテーパが設けられ、それにより、安定化本体が結合体へ向けて軸方向に押し進められると、ジャケットグリップが径方向内側に推し進められる、安定化結合体アセンブリ。
【請求項１９】
ジャケットグリップの幅は、少なくとも所望の同軸ケーブルの波形周期と同じである請求項１に記載のアセンブリ。
【請求項２０】
ジャケットグリップの幅は、少なくともジャケットグリップの断面高さの２倍である請求項１に記載のアセンブリ。
【発明の詳細な説明】
【技術分野】
【０００１】
（関連出願の相互参照）
本出願は、Ｊｅｆｆｒｅｙ  Ｐａｙｎｔｅｒ、Ｄａｖｉｄ  Ｌｏｗ、及び、Ｌａｒｒｙ  Ｂｕｅｎｚによって２０１０年６月７日に出願された「コネクタ安定化結合体アセンブリ（Ｃｏｎｎｅｃｔｏｒ  Ｓｔａｂｉｌｉｚｉｎｇ  Ｃｏｕｐｌｉｎｇ  Ｂｏｄｙ  Ａｓｓｅｍｂｌｙ）」と題される米国特許出願第１２／７９５，０１３号の利益を主張する。
【０００２】
本発明は電気ケーブルコネクタに関する。より詳細には、本発明は、コネクタ−ケーブル保持及び受動相互変調歪み（ＰＩＭ）電気的性能を向上させるためのコネクタ安定化結合体アセンブリに関する。
【背景技術】
【０００３】
例えば高レベルの精度及び信頼性を必要とする通信システムでは、同軸ケーブルコネクタが使用される。
【０００４】
ケーブルとコネクタとの間で確実な機械的及び最適化された電気的相互接続を形成するためには、同軸ケーブル外側導体の先端とコネクタ本体との間に略均一な外周接触を有することが望ましい。外側導体の広がり端（ｆｌａｒｅｄ  ｅｎｄ）は、結合体を介してコネクタ本体の環状楔面に対してクランプされてもよい。本技術の典型的なものは、１９９８年８月１８日に発行されたＨａｒｗａｔｈの共有の米国特許第５，７９５，１８８号である。
【０００５】
コネクタ−ケーブル端電気機械相互接続の別の形状としては、同軸ケーブルの内側及び／又は外側導体と接触して把持するコネクタの様々な把持面配置が挙げられる。
【０００６】
システム設置中、例えば取り付けられる同軸ケーブルが次の相互接続へと送られ、所定の位置に操作され、及び／又は、ケーブル支持体及び／又は保持ハンガとの位置合わせのために湾曲されるときに、設置コネクタに対して回転力が加えられる場合がある。同軸ケーブル及び同軸コネクタの互いに対する回転は、コネクタ、ケーブル、及び／又は、ケーブル／コネクタ相互接続の完全性を損なう場合がある。また、一旦取り付けられると、相互接続部に経時的に加えられる捻じれ、曲げ、及び／又は、振動が、コネクタ−ケーブル相互接続を劣化させ、及び／又はＰＩＭをもたらす場合がある。
【０００７】
従前の同軸コネクタは、一般に、コネクタのクランプ及び／又はグリップ相互接続機構のための駆動手段として、並びに／或いは、シール及び／又は電気接点要素などのコネクタ内の内部要素の容易な挿入を可能にするための組み付け手段の容易さとして、結合体及び／又はバック体（ｂａｃｋ  ｂｏｄｉｅｓ）を利用する。結合体及び／又はバック体は、コネクタ本体に対する圧縮作用により同軸ケーブルに対してシール構造で押し付けられるエラストマー環境シールを含んでもよい。本技術の典型的なものは、２００６年７月１８日に発行されたＩｓｌａｍらの共有の米国特許第７，０７７，６９９号である。径方向内側に延びて同軸ケーブルのジャケットと接触するように押し付けられる環境シールは、同軸コネクタに対して安定化効果を与え得るが、環境シールは、一般に、ジャケットに対する弾性シール変形接触を可能にする弾性材料から形成される。したがって、環境シールから得られる任意の安定化効果が制限される。
【０００８】
同軸ケーブルコネクタ市場における競争は、電気的性能を向上させること、及び、材料コスト、設置要員のための訓練要件、専用の設置工具及び必要とされる設置ステップ及び／又は作業の総数の減少を含む全体のコストを最小限に抑えることに焦点を絞ってきた。
【先行技術文献】
【特許文献】
【０００９】
【特許文献１】米国特許第５，７９５，１８８号
【特許文献２】米国特許第７，０７７，６９９号
【発明の概要】
【発明が解決しようとする課題】
【００１０】
したがって、本発明の目的は、従来技術の欠陥を克服する結合体及び／又はバック体を提供することである。
【課題を解決するための手段】
【００１１】
請求項１に係る発明は、同軸コネクタのための安定化結合体アセンブリであって、そのコネクタ端でコネクタのケーブル端と結合するように寸法付けられる結合体と、結合体と結合体のケーブル端に結合される安定化本体との間に保持される硬質材料のジャケットグリップと、を備え、ジャケットグリップの外径が安定化本体の環状楔面に当接し、楔面には、ジャケットグリップのコネクタ端に隣接する最大直径と環状楔面のケーブル端に隣接する最小直径との間にテーパが設けられ、それにより、安定化本体が結合体へ向けて軸方向に押し進められると、ジャケットグリップが径方向内側に推し進められるようにしたものである。
【００１２】
請求項２に係る発明は、請求項１に係る発明において更に、ジャケットグリップの内径には複数の内側に突出する突起が設けられるようにしたものである。
【００１３】
請求項３に係る発明は、請求項１に係る発明において更に、ジャケットグリップには、楔面と係合する傾斜接触面が外径に設けられるようにしたものである。
【００１４】
請求項４に係る発明は、請求項１に係る発明において更に、ジャケットグリップがＣ字形であるようにしたものである。
【００１５】
請求項５に係る発明は、請求項１に係る発明において更に、結合体に保持リップを更に含むとともに、安定化本体に保持バリを更に含み、保持リップは、安定化本体が結合体と結合されるときに保持バリと係合するように寸法付けられ、安定化本体を結合体に対して保持するようにしたものである。
【００１６】
請求項６に係る発明は、請求項１に係る発明において更に、ジャケットグリップの幅は、少なくとも所望の同軸ケーブルの波形周期と同じ幅であるようにしたものである。
【００１７】
請求項７に係る発明は、請求項１に係る発明において更に、ジャケットグリップの幅は、少なくともジャケットグリップの断面高さの２倍と同じ幅であるようにしたものである。
【００１８】
請求項８に係る発明は、請求項１に係る発明において更に、ジャケットグリップに隣接する結合ナット内に位置されるシールガスケットを更に含むようにしたものである。
【００１９】
請求項９に係る発明は、請求項１に係る発明において更に、安定化本体がネジを介して結合体に結合されるようにしたものである。
【００２０】
請求項１０に係る発明は、請求項１に係る発明において更に、安定化本体には、安定化本体のケーブル端に隣接して複数の内側に突出する支持フィンが設けられるようにしたものである。
【００２１】
請求項１１に係る発明は、同軸コネクタのための安定化結合体アセンブリを製造する方法であって、そのコネクタ端でコネクタのケーブル端と結合するように寸法付けられる結合体を形成することと、硬質材料のジャケットグリップを形成することと、結合体のケーブル端に結合するように寸法付けられる安定化本体を形成することと、結合体と安定化本体との間にジャケットグリップを挿入して、結合体を安定化本体に結合することと、を含み、ジャケットグリップの外径が安定化本体の環状楔面に当接し、楔面には、ジャケットグリップのコネクタ端に隣接する最大直径と環状楔面のケーブル端に隣接する最小直径との間にテーパが設けられ、それにより、安定化本体が結合体へ向けて軸方向に押し進められると、ジャケットグリップが径方向内側に推し進められるようにしたものである。
【００２２】
請求項１２に係る発明は、請求項１１に係る発明において更に、ジャケットグリップが射出成形によって形成されるようにしたものである。
【００２３】
請求項１３に係る発明は、請求項１１に係る発明において更に、安定化本体が射出成形によって形成されるようにしたものである。
【００２４】
請求項１４に係る発明は、請求項１１に係る発明において更に、硬質材料がアクリルであるようにしたものである。
【００２５】
請求項１５に係る発明は、請求項１１に係る発明において更に、結合体に保持リップを更に含むとともに、安定化本体に保持バリを更に含み、保持リップは、安定化本体が結合体と結合されるときに保持バリと係合して、安定化本体を結合体に対して保持するようにしたものである。
【００２６】
請求項１６に係る発明は、請求項１５に係る発明において更に、保持リップ及び保持バリが円弧状セグメント突起として形成されるようにしたものである。
【００２７】
請求項１７に係る発明は、請求項１１に係る発明において更に、結合体と安定化本体との間の結合がネジを介し、ネジが円弧状セグメントとして形成されるようにしたものである。
【００２８】
請求項１８に係る発明は、同軸コネクタのための安定化結合体アセンブリであって、そのコネクタ端でコネクタのケーブル端と結合するように寸法付けられる結合体と、結合体と結合体のケーブル端にネジを介して結合される安定化本体との間に保持される非圧縮性材料のＣ字形ジャケットグリップであって、ジャケットグリップの内径に複数の内側に突出する突起を備えるＣ字形ジャケットグリップと、安定化本体の環状楔面に当接するジャケットグリップの外径と、結合体に保持リップ及び安定化本体に保持バリと、を備え、保持リップは、安定化本体が結合体と結合されるときに保持バリと係合するように寸法付けられ、安定化本体を結合体に対して保持し、楔面には、ジャケットグリップのコネクタ端に隣接する最大直径と環状楔面のケーブル端に隣接する最小直径との間にテーパが設けられ、それにより、安定化本体が結合体へ向けて軸方向に押し進められると、ジャケットグリップが径方向内側に推し進められるようにしたものである。
【００２９】
請求項１９に係る発明は、請求項１に係る発明において更に、ジャケットグリップの幅は、少なくとも所望の同軸ケーブルの波形周期と同じであるようにしたものである。
【００３０】
請求項２０に係る発明は、請求項１に係る発明において更に、ジャケットグリップの幅は、少なくともジャケットグリップの断面高さの２倍であるようにしたものである。
【００３１】
本明細書に組み入れられ、本明細書の一部を構成する添付図面は本発明の実施形態を示しており、図面中、同様の参照符号は、同じ特徴又は要素を示しており、そのため、それらが示される全ての図面において詳しく説明されない場合があり、また、添付図面は、先に示された発明の一般的な説明、及び以下で示される実施形態の詳細な説明と共に本発明の原理を説明するのに役立つ。
【図面の簡単な説明】
【００３２】
【図１】挿入結合型同軸コネクタと結合されて示される結合体アセンブリの第１の実施形態の概略的な側断面図であり、結合体アセンブリを介した同軸ケーブルに対する安定化接触を適用できる状態である。
【図２】結合体アセンブリが同軸ケーブルに対する安定化接触を適用する図１の図である。
【図３】図１の結合体アセンブリの概略的な分解斜視図である。
【図４】図３を逆方向から見た図である。
【図５】別の同軸コネクタ構造、すなわち、外側導体先端クランプ型同軸コネクタと結合されて示される結合体アセンブリの第１の実施形態の概略的な側断面図である。
【発明を実施するための形態】
【００３３】
本発明者は、コネクタと同軸ケーブルとの間の位置合わせの動作及び／又は歪曲が許容できないレベルのＰＩＭをもたらす場合があり、並びに／或いは、さもなければ電気機械的な相互接続を損なう場合があり、その理由として、例えば互いに対する接触面シフト及び／又は均一とはいえない外周接触がコネクタの電気接触要素と内側及び／又は外側導体との間で生じるためであることを認識した。
【００３４】
コネクタとケーブルとの間の相互接続を安定させる機能を伴う結合体アセンブリ１の第１の実施形態が図１〜図４に示されている。図３及び図４に最も良く示されるように、結合体アセンブリ１は、結合体（結合ナット）３のコネクタ端５で同軸コネクタ本体９のケーブル端７と結合するように寸法付けられる該結合体３を含む。
【００３５】
本明細書中では、コネクタ端５とケーブル端７それ自体及び、コネクタ端５とケーブル端７との間の同軸コネクタの長手方向軸に沿うそれらの位置合わせ（ａｌｉｇｎｍｅｎｔ）によるコネクタ端５及びケーブル端７のそれぞれの相互接続面を識別するために、本明細書中で説明されるアセンブリ全体及びアセンブリの別個の要素の両方のそれぞれの端部のための識別子（ｉｄｅｎｔｉｆｉｅｒ）として、コネクタ端５及びケーブル端７が適用されていることが、当業者であれば分かる。
【００３６】
結合体３は、同軸ケーブル１３の外側導体１１との電気機械的な相互接続などの同軸コネクタ本体９と協調するコネクタ機能を果たすとともに、例えば結合体内径のガスケット肩部又は環状溝内に位置されるエラストマシールガスケット２０による電気機械的な相互接続の環境シールを行なうように構成されてもよい。結合体３のこれらの機能及び関連する構造の細部は、結合体アセンブリ１が適用される同軸コネクタ２３のタイプに依存し、したがって、本明細書ではこれ以上詳しく説明しない。
【００３７】
硬質材料、例えばアクリルプラスチック又はポリカーボネートプラスチックのジャケットグリップ１５が、結合体３と結合体３のケーブル端７に結合される安定化本体（ｓｔａｂｉｌｉｚｉｎｇ  ｂｏｄｙ）１７との間で保持される。ジャケットグリップ１５は、Ｃ字形であってもよく、結合体アセンブリ１内に嵌合するように、且つ同軸ケーブル１３に対する同軸コネクタ２３の相互接続中に同軸ケーブル１３の挿通を可能にするように寸法付けられてもよい。ジャケットグリップ１５の外径は、安定化本体１７の内径環状楔面２１と当接する接触面１９を有し、楔面２１には、ジャケットグリップ１５のコネクタ端５に隣接する最大直径と楔面２１のケーブル端７に隣接する最小直径との間にテーパが設けられる。
【００３８】
安定化本体１７が、例えばネジ２５又は軸方向圧縮締まりばめにより結合体３へ向けて軸方向に押し進められるにつれて、ジャケットグリップ１５の傾斜接触面１９が安定化本体１７の楔面２１と接触し、ジャケットグリップ１５が、結合体３の内側突出肩部２７に対して押し付けられ、その後、同軸ケーブル１３のジャケット２９に対して径方向内側に押し付けられる。ジャケットグリップ１５の内径がジャケット２９と係合すると、結合体アセンブリ１と取り付けられる同軸コネクタ本体９との間で、ジャケットグリップ１５の幅にわたって分配される確実な安定化接触がなされる。ジャケットグリップ１５の幅を例えば所望の同軸ケーブルの波形周期と少なくとも同じ幅、及び／又はジャケットグリップ１５の断面高さの少なくとも２倍の幅にすることにより、安定化接触によってもたらされる同軸ケーブルが変形する機会が減少する。ジャケットグリップ１５が硬質な非圧縮性材料から形成されるとともに、ジャケットグリップ１５と結合体３と安定化本体１７との間の接触が硬いポイントであるため、ジャケット２９がそこでの接触により変形できる場合であって、ひとたびその変形が起こると、その安定化接触は本質的に固定化される（ｒｉｇｉｄ）。
【００３９】
同軸コネクタ２３と同軸ケーブル１３との間の相互接続の機械的な引き剥がし強度も高めるために、複数の内側に突出する突起３１をジャケットグリップ１５の内径に適用することによって、安定化接触が長手軸方向に関して向上されてもよい。また、内側に突出する突起３１は、安定化接触における同軸ケーブル１３に対する同軸コネクタ２３の回転防止特性を向上し得る。
【００４０】
図１に最も良く示されるように、結合体３に結合される安定化本体１７を予め組み付けられるが軸方向に締め付けられないように保持するために、結合体３の保持リップ３３、及び安定化本体１７の対応する保持バリ３５などの保持機構が外側及び内側にそれぞれ突出して適用されてもよい。保持リップ３３及び保持バリ３５は、最初の軸方向位置に達したときに一方を他方に対してスナップ係合して保持するように協働する。それにより、ジャケットグリップ１５及び任意の適用可能な環境シールが結合体アセンブリ１内に事前に装着され、それにより、取り付け者は、初期組み付け作業を行わずに済み、及び／又はこれらの内部要素が相互接続前に紛失されないように確保せずに済み、そのため、同軸コネクタ２３と同軸ケーブル１３との相互接続が簡略化される。
【００４１】
結合体３、ジャケットグリップ１５、及び、安定化本体１７は、例えば高分子材料の射出成形により費用効率良く製造されてもよい。射出成形は、構造の材料強度要件が減少される材料厚の大きい領域を伴う従来の中実構造ではなく、複数の内側に延びる支持フィン３７を有する安定化本体１７の領域を形成することにより、材料消費量と歪み、及びひけなどの成形欠陥の減少とに関して更に最適化されてもよい。また、金型設計及び金型分離機構を簡略化するため、ネジ２５及び／又は内側／外側に突出する保持リップ３３及び／又は保持バリ３５が連続環状形態ではなく円弧状部分（ａｒｃ  ｓｅｇｍｅｎｔｓ）として適用されてもよい。それにより、それぞれの金型部分及び／又は成形された構成要素の回転時に、軸方向の金型分離が可能となる。
【００４２】
使用時、同軸コネクタは、例えば図１に示されるような結合体３のコネクタ端５及び同軸コネクタ本体９の選択された電気機械的構造にしたがって同軸ケーブルと相互接続される。ひとたび電気機械的な相互接続が完了されると、安定化本体１７のコネクタ端５がこの例ではネジ２５を一緒にねじ込むことにより結合体３のケーブル端７の方へと押し進められ、それにより、図２に示されるように、ジャケットグリップ１５が径方向内側に推し進められてジャケット２９と安定化接触される。
【００４３】
当業者は、本発明の重大な製造利点、取り付け利点、及び、相互接続安定化利点を十分理解できる。また、結合体アセンブリ１が同軸コネクタ本体９から分離されるため、本発明の利点は、例えば図５に示されるように、標準化されたジャケットグリップ１５及び安定化本体１７を伴う結合体アセンブリ１を適用することにより、既存のコネクタ群に適用されてもよい。それにより、結合体アセンブリ１を任意の特定の同軸コネクタ本体９と結合して、それによりもたらされる安定化接触の利点を得るために、結合体３の最小限の再設計だけで済む。
【００４４】
先の説明では、既知の等価物を有する材料、比率、整数又は構成要素について言及された場合、そのような等価物は、あたかも個別に記載されるかのように本明細書中に組み入れられる。
【００４５】
本発明をその実施形態の説明によって明らかにしてきたが、また、実施形態をかなり詳しく説明してきたが、添付の特許請求の範囲をそのような詳細な記述に限定すること、或いは多少なりとも制限することは出願人の意図するところではない。更なる利点及び変更は当業者にとって自明である。したがって、より広い解釈での本発明は、図示して説明した特定の細部、代表的な装置、方法、及び、例示的な例に限定されない。そのため、出願人の一般的な発明概念の思想又は範囲から逸脱することがなければ、そのような詳細な内容から外れてもよい。また、以下の特許請求の範囲によって規定される本発明の範囲又は思想から逸脱することなく、そのような詳細な内容に対して改良及び／又は変更がなされてもよいことは言うまでもない。
【産業上の利用可能性】
【００４６】
本発明は、同軸コネクタのための安定化結合体アセンブリであって、そのコネクタ端でコネクタのケーブル端と結合するように寸法付けられる結合体と、結合体と結合体のケーブル端に結合される安定化本体との間に保持される硬質材料のジャケットグリップと、を備え、ジャケットグリップの外径が安定化本体の環状楔面に当接し、楔面には、ジャケットグリップのコネクタ端に隣接する最大直径と環状楔面のケーブル端に隣接する最小直径との間にテーパが設けられ、それにより、安定化本体が結合体へ向けて軸方向に押し進められると、ジャケットグリップが径方向内側に推し進められるようにしたものである。これにより、コネクタ−ケーブル保持及び受動相互変調歪み（ＰＩＭ）電気的性能を向上させるためのコネクタ安定化結合体アセンブリを提供することができる。
【符号の説明】
【００４７】
１  結合体アセンブリ（ｃｏｕｐｌｉｎｇ  ｂｏｄｙ  ａｓｓｅｍｂｌｙ）
３  結合体（ｃｏｕｐｌｉｎｇ  ｂｏｄｙ）
５  コネクタ端（ｃｏｎｎｅｃｔｏｒ  ｅｎｄ）
７  ケーブル端（ｃａｂｌｅ  ｅｎｄ）
９  同軸コネクタ本体（ｃｏａｘｉａｌ  ｃｏｎｎｅｃｔｏｒ  ｂｏｄｙ）
１１  外側導体（ｏｕｔｅｒ  ｃｏｎｄｕｃｔｏｒ）
１３  同軸ケーブル（ｃｏｘｉａｌ  ｃａｂｌｅ）
１５  ジャケットグリップ（ｊａｃｋｅｔ  ｇｒｉｐ）
１７  安定化本体（ｓｔａｂｉｌｉｚｉｎｇ  ｂｏｄｙ）
１９  傾斜接触面（ａｎｇｌｅｄ  ｃｏｎｔａｃｔ  ｓｕｒｆａｃｅ）
２０  シールガスケット（ｓｅａｌｉｎｇ  ｇａｓｋｅｔ）
２１  楔面（ｗｅｄｇｅ  ｓｕｒｆａｃｅ）
２３  同軸コネクタ（ｃｏａｘｉａｌ  ｃｏｎｎｅｃｔｏｒ）
２５  ネジ（ｔｈｒｅａｄｓ）
２７  肩部（ｓｈｏｕｌｄｅｒ）
２９  ジャケット（ｊａｃｋｅｔ）
３１  内側に突出する突起（ｉｎｗａｒｄ  ｐｒｏｊｅｃｔｉｎｇ  ｐｒｏｔｒｕｓｉｏｎ）
３３  保持リップ（ｒｅｔａｉｎｉｎｇ  ｌｉｐ）
３５  保持バリ（ｒｅｔｅｎｔｉｏｎ  ｂｕｒｒ）
３７  支持フィン（ｓｕｐｐｏｒｔ  ｆｉｎ）
【図１】
2011258552.tif 000003
【図２】
2011258552.tif 000004
【図３】
2011258552.tif 000005
【図４】
2011258552.tif 000006
【図５】
2011258552.tif 000007